(57)【要約】【課題】  無駄な伝送を防止するとともに、所定の許容サイズに収まる情報を確実に配信させる。【解決手段】  移動機２０が情報配信要求を情報配信サーバ１０宛に送信すると、ゲートウェイサーバ３０を介して情報配信サーバ１０に伝送される。情報配信サーバ１０はゲートウェイサーバ３０を介して移動機２０への情報の配信を開始する。ゲートウェイサーバ３０は、移動機２０に伝送した情報のデータサイズを随時測定して累計データサイズを求め、累計データサイズが移動機２０の所定の許容サイズを超えているか否かを判定する。累計データサイズが所定の許容サイズを超えていると判定された場合には配信中止要求を情報配信サーバ１０に送信する。これにより、情報配信サーバ１０は移動機２０への情報の配信を中止する。【選択図】  図１
2005167511.tif 000002
【特許請求の範囲】
【請求項１】
情報配信サーバと当該情報配信サーバから情報を取得する端末装置との間で行われる通信を中継する中継装置であって、
前記情報配信サーバから送信された前記端末装置宛の情報を受信する受信手段と、
前記受信手段により受信された前記端末装置宛の情報を前記端末装置に伝送する伝送制御手段と、
前記端末装置宛の情報のうち、前記伝送制御手段により既に伝送された当該情報のデータサイズを測定する測定手段とを備え、
前記伝送制御手段は、前記測定手段により測定された前記データサイズが、所定の許容サイズを超えている場合に、前記端末装置への伝送を中止する
ことを特徴とする中継装置。
【請求項２】
前記伝送制御手段は、前記測定手段により測定された前記データサイズが、前記許容サイズを超えている場合に、前記端末装置および前記情報配信サーバとの間に張られた通信路を切断する
ことを特徴とする請求項１記載の中継装置。
【請求項３】
前記受信手段は、前記端末装置から送信された情報配信要求に対する応答情報を前記情報配信サーバから受信し、
前記伝送制御手段は、前記受信手段により受信された前記応答情報に含まれる前記端末装置宛の情報のデータサイズが、前記許容サイズを超えている場合に、前記端末装置への伝送を禁止する
ことを特徴とする請求項１または２記載の中継装置。
【請求項４】
前記伝送制御手段は、前記受信手段により受信された前記応答情報に含まれる前記端末装置宛の情報のデータサイズが、前記許容サイズを超えている場合に、前記端末装置および前記情報配信サーバとの間に張られた通信路を切断する
ことを特徴とする請求項３記載の中継装置。
【発明の詳細な説明】
【技術分野】
【０００１】
本発明は、中継装置に関し、特に端末装置と情報配信サーバ間の通信を中継する中継装置に関する。
【背景技術】
【０００２】
近年、ＰＤＣ−Ｐ(Personal Digital Cellular-Packet)やＩＭＴ２０００(International Mobile Telecommunications 2000)などの移動体情報送信システムの発達に伴い、これらの移動体情報送信システムで用いられる移動機の高機能化が進んでいる。このような移動機の高機能化に伴い、インターネットなど他の通信網に接続されている情報配信サーバから移動体通信網に接続されている移動機に対して、文字情報、音声情報、静止画像情報、動画像情報など種々の情報を送信する情報送信システムが実現するようになった。なお、このような情報送信システムの一つとして、例えば、下記特許文献１に記載されたサーバから端末装置に対して情報を伝送する情報伝送システムがある。
【特許文献１】特開平１０−２４３０４８号公報
【発明の開示】
【発明が解決しようとする課題】
【０００３】
ところで、移動機と移動体通信網間における無線区間は、情報の伝送速度が低速であるため、移動機が情報配信サーバから上述した種々の情報を取得しようとすると、長時間にわたりサーバや無線帯域等のネットワーク資源を占有することとなり、情報配信サーバによるＷｅｂの提供やメール配信等にも影響を及ぼすことになる。したがって、移動機と情報配信サーバ間においてはできる限り無駄な伝送を防止する必要がある。
【０００４】
上記特許文献１には、端末装置とサーバ間における無駄な伝送を防止するために、サーバが、端末装置に対して伝送する情報のデータサイズと端末装置における受信速度とに基づいて予想伝送時間を算出し、当該予想伝送時間が所定の閾値を超える場合に、端末装置への情報伝送を中止する技術が開示されている。
【０００５】
この特許文献１に記載された情報伝送システムでは、伝送する情報のデータサイズと端末装置における受信速度とから算出される予想伝送時間に基づいて、情報伝送を中止するか否かを判断している。ところが、受信速度はネットワークの通信状況等により変動するものである。したがって、このような受信速度に基づいて算出される予想伝送時間には、大きな誤差が含まれてしまう場合があり、例えば、本来であれば端末装置に送信可能な情報が送信されないことや、端末装置における許容サイズを超えるデータが送信されてしまう等の不都合が生じ得る。
【０００６】
そこで、本発明は、上述した課題を解決するために、無駄な伝送を防止するとともに、所定の許容サイズに収まる情報を確実に配信させることができる中継装置を提供することを目的とする。
【課題を解決するための手段】
【０００７】
本発明の中継装置は、情報配信サーバと当該情報配信サーバから情報を取得する端末装置との間で行われる通信を中継する中継装置であって、情報配信サーバから送信された端末装置宛の情報を受信する受信手段と、受信手段により受信された端末装置宛の情報を上記端末装置に伝送する伝送制御手段と、端末装置宛の情報のうち、伝送制御手段により既に伝送された当該情報のデータサイズを測定する測定手段とを備え、上記伝送制御手段は、測定手段により測定されたデータサイズが、所定の許容サイズを超えている場合に、端末装置への伝送を中止することを特徴とする。
【０００８】
この発明によれば、情報配信サーバから送信された端末装置宛の情報を受信し、この受信された端末装置宛の情報を端末装置に伝送し、既に伝送された端末装置宛の情報のデータサイズを測定し、この測定されたデータサイズが所定の許容サイズを超えた場合に端末装置への伝送を中止することで、所定の許容サイズを超えた情報が配信されることを防止することができる。これにより、無駄な伝送を防止することができるとともに、所定の許容サイズに収まる情報については確実に配信させることができる。さらに、ネットワークリソースの有効利用を図ることや、端末装置の通信費用を低減することも可能となる。
【０００９】
本発明の中継装置において、伝送制御手段は、測定手段により測定されたデータサイズが、所定の許容サイズを超えている場合に、端末装置および情報配信サーバとの間に張られた通信路を切断させることが好ましい。このようにすれば、所定の許容サイズを超えた情報が配信されることを物理的に遮断することができる。
【００１０】
本発明の中継装置において、上記受信手段は、端末装置から送信された情報配信要求に対する応答情報を情報配信サーバから受信し、上記伝送制御手段は、受信手段により受信された応答情報に含まれる端末装置宛の情報のデータサイズが、所定の許容サイズを超えている場合に、端末装置への伝送を禁止させることが好ましい。このようにすれば、所定の許容サイズを超える情報が配信されることを事前に防止することができる。
【００１１】
本発明の中継装置において、上記伝送制御手段は、受信手段により受信された応答情報に含まれる端末装置宛の情報のデータサイズが、所定の許容サイズを超えている場合に、端末装置および情報配信サーバとの間に張られた通信路を切断させることが好ましい。このようにすれば、所定の許容サイズを超える情報が配信されることを物理的に遮断することができる。
【発明の効果】
【００１２】
本発明に係る中継装置によれば、無駄な伝送を防止するとともに、所定の許容サイズに収まる情報を確実に配信させることができる。
【発明を実施するための最良の形態】
【００１３】
以下、本発明に係る中継装置の実施形態を図面に基づき説明する。
【００１４】
図１は、実施形態における情報送信システム１の構成を例示する図である。図１に示すように、情報送信システム１は、情報の送信元となる情報配信サーバ１０と、情報配信サーバ１０から配信される情報を受信する移動機２０（端末装置）と、情報配信サーバ１０から移動機２０への情報の配信を中継するゲートウェイサーバ３０（中継装置）とを備えて構成される。情報配信サーバ１０とゲートウェイサーバ３０とは、インターネット、ＬＡＮ網、専用線網などの広帯域通信ネットワークＮ１を介して接続されている。一方、移動機２０とゲートウェイサーバ３０とは、移動体通信網などの狭帯域通信ネットワークＮ２を介して接続されている。
【００１５】
なお、本実施形態における情報送信システム１においては、端末装置の具体例として移動機２０を記載しているが、端末装置は、これに限られず、簡易型携帯電話機（ＰＨＳ）や通信機能を有する携帯型情報端末（ＰＤＡ）等であってもよい。
【００１６】
ゲートウェイサーバ３０は、移動機２０から送信された情報配信要求を情報配信サーバ１０に対して伝送するとともに、情報配信サーバ１０から配信された情報を移動機２０に対して伝送するサーバである。また、ゲートウェイサーバ３０は、後述する受信部３１と、伝送制御部３２と、測定部３３とを有している。
【００１７】
受信部３１は、情報配信サーバ１０が移動機２０宛に配信した情報を受信する。伝送制御部３２は、受信部３１により受信された情報を移動機２０に伝送する。伝送制御部３２は、測定部３３により測定されている累計データサイズが所定の許容サイズ（例えば、２ＭＢ）を超えた場合に、移動機２０への伝送を中止する。ここで、累計データサイズとは、情報配信サーバ１０が移動機２０宛に配信する情報のうち、伝送制御部３２により移動機２０に対して既に伝送された情報のデータサイズをいう。これにより、移動機２０に伝送している情報のデータサイズが、所定の許容サイズを超えた時点で、移動機２０への情報の伝送を中止させることができる。また、所定の許容サイズは、移動機２０のメモリ容量などに応じて適宜ゲートウェイサーバ３０側で設定することができる。また、情報配信サーバ１０は、伝送を中止する際に、それまでに移動機２０に伝送した情報が正常に表示されるように編集した情報を移動機２０に伝送する。
【００１８】
また、伝送制御部３２は、情報配信サーバ１０から受信した応答情報に基づいて、移動機２０に配信される情報のデータサイズが、所定の許容サイズを超えていると判定した場合に、移動機２０に対してエラー応答を送信するとともに、情報配信サーバ１０から移動機２０への情報の配信を禁止する。ここで、応答情報としては、例えば、情報配信サーバ１０から送信されるＨＴＴＰ（Hypertext Transfer Protocol）ヘッダが該当する。この場合に伝送制御部３２は、ＨＴＴＰヘッダに含まれるコンテントレングス（Content length）値が、所定の許容サイズを超えているか否かを判定する。
【００１９】
また、伝送制御部３２は、情報配信サーバ１０から受信した応答情報に基づいて、移動機２０に配信される情報のデータサイズが、所定の許容サイズを超えていないと判定した場合には、移動機２０に配信される情報の配信開始要求を情報配信サーバ１０に送信する。
【００２０】
次に、図２を参照して本実施形態における情報送信システムの動作を説明する。まず、移動機２０が広帯域通信ネットワークＮ１上に存在する情報配信サーバ１０にアクセスし、情報配信要求を情報配信サーバ１０宛に送信する（ステップＳ１）。この情報配信要求は、ゲートウェイサーバ３０により中継されて情報配信サーバ１０に伝送される（ステップＳ２）。情報配信サーバ１０は、受信した情報配信要求に応じた応答情報をゲートウェイサーバ３０に送信する（ステップＳ３）。
【００２１】
ゲートウェイサーバ３０の伝送制御部３２は、受信した応答情報に基づいて、移動機２０に配信される情報のデータサイズが、所定の許容サイズを超えているか否かを判定する（ステップＳ４）。この判定がＹＥＳである場合（ステップＳ４；ＹＥＳ）に、ゲートウェイサーバ３０の伝送制御部３２は、移動機２０に対してエラー応答を送信し（ステップＳ５）、情報配信サーバ１０による移動機２０への情報の配信を禁止する。
【００２２】
一方、ステップＳ４における判定で、移動機２０に配信される情報のデータサイズが、所定の許容サイズを超えていないと判定された場合（ステップＳ４；ＮＯ）に、ゲートウェイサーバ３０の伝送制御部３２は、移動機２０に配信される情報の配信開始要求を情報配信サーバ１０に送信する（ステップＳ６）。なお、伝送制御部３２は、情報配信サーバ１０から受信した応答情報に上記情報のデータサイズが含まれていない場合には、上記情報のデータサイズを０に設定し、ステップＳ４における判定を行う。情報配信サーバ１０は、受信した配信開始要求に基づいて、移動機２０への情報の配信を開始する（ステップＳ７）。
【００２３】
移動機２０に配信される情報は、ゲートウェイサーバ３０により中継され、当該ゲートウェイサーバ３０により移動機２０に伝送される。ゲートウェイサーバ３０の測定部３３は、移動機２０に伝送した情報のデータサイズを随時測定して累計データサイズを求める。
【００２４】
ゲートウェイサーバ３０の伝送制御部３２は、測定部３３により測定されている累計データサイズが所定の許容サイズを超えているか否かを判定する（ステップＳ８）。この判定がＮＯである場合（ステップＳ８；ＮＯ）に、ゲートウェイサーバ３０の伝送制御部３２は、情報配信サーバ１０から受信した情報を移動機２０に伝送する（ステップＳ９）。
【００２５】
一方、ステップＳ８における判定で、累計データサイズが所定の許容サイズを超えていると判定された場合（ステップＳ８；ＹＥＳ）に、ゲートウェイサーバ３０の伝送制御部３２は、配信中止要求を情報配信サーバ１０に送信する（ステップＳ１０）。配信中止要求を受信した情報配信サーバ１０は、移動機２０への情報の配信を中止する（ステップＳ１１）。
【００２６】
なお、上述したステップＳ４の判定において、移動機２０に配信される情報のデータサイズが、所定の許容サイズを超えていると判定された場合に、情報配信サーバ１０による移動機２０への情報の配信を禁止しているが、当該配信を禁止するとともに、ゲートウェイサーバ３０と移動機２０および情報配信サーバ１０との間に張られた通信路を切断することとしてもよい。また、これと同様に、上述したステップＳ８の判定において、累計データサイズが所定の許容サイズを超えていると判定された場合に、配信中止要求を情報配信サーバ１０に送信するとともに、ゲートウェイサーバ３０と移動機２０および情報配信サーバ１０との間に張られた通信路を切断することとしてもよい。これにより、情報を配信する通信路が物理的に遮断されることとなる。
【００２７】
また、上述したステップＳ３〜Ｓ６における処理を省略することとしてもよい。すなわち、ゲートウェイサーバ３０が、移動機２０から受信した情報配信要求を情報配信サーバ１０に伝送した（ステップＳ１，Ｓ２）後に、情報配信サーバ１０による情報の配信が開始される（ステップＳ７）こととしてもよい。この場合にゲートウェイサーバ３０は、累計データサイズが所定の許容サイズを超えた場合（ステップＳ８；ＹＥＳ）に、配信中止要求を情報配信サーバ１０に送信する（ステップＳ１０）こととなる。
【００２８】
最後に、本実施形態における情報送信システムの作用及び効果について説明する。本実施形態におけるゲートウェイサーバ３０においては、情報配信サーバ１０から送信された移動機２０宛の情報を受信部３１により受信し、受信した移動機２０宛の情報を伝送制御部３２により移動機２０に伝送し、既に伝送した移動機２０宛の情報のデータサイズを測定部３３により測定し、この測定したデータサイズが所定の許容サイズを超えた場合に伝送制御部３２により移動機２０への伝送を中止させることで、所定の許容サイズを超えた情報が配信されることを防止することができる。これにより、無駄な伝送を防止することができるとともに、所定の許容サイズに収まる情報については確実に配信させることができる。さらに、ネットワークリソースの有効利用を図ることや、移動機２０の通信費用を低減することも可能となる。
【００２９】
また、本実施形態におけるゲートウェイサーバ３０においては、測定部３３により測定されたデータサイズが、所定の許容サイズを超えている場合に、伝送制御部３２が、移動機２０および情報配信サーバ１０との間に張られた通信路を切断することとすれば、所定の許容サイズを超えた情報が配信されることを物理的に遮断することが可能となる。
【００３０】
また、本実施形態におけるゲートウェイサーバ３０においては、受信部３１が、移動機２０から送信された情報配信要求に対する応答情報を情報配信サーバ１０から受信し、受信部３１により受信された応答情報に含まれる移動機２０宛の情報のデータサイズが、所定の許容サイズを超えている場合に、伝送制御部３２が、移動機２０への伝送を禁止させることとすれば、所定の許容サイズを超える情報が配信されることを事前に防止することが可能となる。
【００３１】
また、本実施形態におけるゲートウェイサーバ３０においては、受信部３１により受信された応答情報に含まれる移動機２０宛の情報のデータサイズが、所定の許容サイズを超えている場合に、伝送制御部３２が、移動機２０および情報配信サーバ１０との間に張られた通信路を切断することとすれば、所定の許容サイズを超える情報が配信されることを物理的に遮断することが可能となる。
【図面の簡単な説明】
【００３２】
【図１】発明の実施形態における情報送信システムのシステム構成を示す図である。
【図２】図１に示すゲートウェイサーバの機能構成を示すブロック図である。
【図３】図１に示す情報送信システムの動作を示すシーケンス図である。
【符号の説明】
【００３３】
１・・・情報送信システム、１０・・・情報配信サーバ、２０・・・移動機、３０・・・ゲートウェイサーバ、３１・・・受信部、３２・・・伝送制御部、３３・・・測定部、Ｎ１・・・広帯域通信ネットワーク、Ｎ２・・・狭帯域通信ネットワーク。
【図１】
2005167511.tif 000003
【図２】
2005167511.tif 000004
【図３】
2005167511.tif 000005